(57)【要約】【課題】本発明は防塵コンピュータデスクを開示した。【解決手段】デスクトップを含み、前記デスクトップの中には第一スライド溝が設置され、前記第一スライド溝の中には本棚がスライドできるように設置され、前記本棚が本を収納でき、前記デスクトップには凹溝が設置され、前記凹溝が左右に対称的に二組設置され、前記凹溝の中には防塵カバー機構が設置され、二組の前記凹溝の間には中部チャンバが設置され、前記中部チャンバの中には保存機構が設置され、前記デスクトップの底端には前記デスクトップを支持する支持機構が設置され、第三モータの作動を制御することにより支持ロッドを近づかせてデスクトップの高さを調整する。【選択図】図１
2020175054.tif 000002
【特許請求の範囲】
【請求項１】
デスクトップを含み、前記デスクトップの中には第一スライド溝が設置され、前記第一スライド溝の中には本棚がスライドできるように設置され、前記本棚が本を収納でき、前記第一スライド溝の左側端壁には第二スライド溝が設置され、前記第二スライド溝の中には第一スライドブロックがスライドできるように設置され、前記第一スライドブロックと前記本棚の一端とが固定的に係合し連結され、前記第二スライド溝の底部には第一空きチャンバが設置され、前記第一空きチャンバと前記第二スライド溝との間には第一ねじボルトが回転できるように設置され、前記第一ねじボルトと前記第一スライドブロックとがネジ山により係合され、前記第一ねじボルトの底端には前記第一空きチャンバの中に位置している第一傘歯車が固定的に設置され、前記第一空きチャンバの右側の前記デスクトップの中には第二空きチャンバが設置され、前記第二空きチャンバと前記第一空きチャンバとの間には伝動軸が回転できるように設置され、前記伝動軸の右端には第二傘歯車が固定的に設置され、前記伝動軸の左端には前記第一傘歯車と噛合し設置される第三傘歯車が固定的に設置され、前記第二空きチャンバの頂部には凹溝が設置され、前記凹溝が左右に対称的に二組設置され、前記凹溝の中には防塵カバー機構が設置され、二組の前記凹溝の間には中部チャンバが設置され、前記中部チャンバの中には保存機構が設置され、前記デスクトップの底端には前記デスクトップを支持する支持機構が設置されることを特徴とする防塵コンピュータデスク。
【請求項２】
前記防塵カバー機構は前記第二空きチャンバの底壁の中に固定的に設置される第一モータを含み、前記第一モータの頂端には上に伸びている縦軸が伝動できるように連結され、前記第二空きチャンバの中に位置している前記縦軸の外周には第四傘歯車が固定的に設置され、前記第四傘歯車と前記第二傘歯車とが噛合し設置され、前記縦軸の頂部延伸部分が前記凹溝の中に挿入され、前記縦軸の頂端には第五傘歯車が固定的に設置され、前記凹溝の中には第一ローラが回転できるように設置され、左側の前記第一ローラと前記第五傘歯車とが噛合し設置され、右側の前記第五傘歯車と右側の前記凹溝との間にはトーションばねが取り付けられ、前記第一ローラの頂部には第二ローラが回転できるように設置され、左側の前記第一ローラの外周にはベルトが固定的に設置され、前記ベルトが前記第二ローラを通した後に、右側の前記第一ローラと固定され、前記ベルトには防塵布が固定的に設置され、第一モータの作動を制御することにより、縦軸を回転させ、それにより伝動軸を回転させ、それにより第三傘歯車を第一傘歯車により第一ねじボルトを回転連動させ、それにより第一スライドブロックを上に移動連動させ、第一スライドブロックが本棚を上に移動連動させ、本棚を第一スライド溝の外部までスライドさせ、それにより本棚の中の本を取り出せ、同時に縦軸が第五傘歯車を回転連動させ、それにより第一ローラを回転させ、それによりベルトを巻かせ、それにより防塵布を収納し、防塵布が中部チャンバの頂端を覆わないようにさせることを特徴とする請求項１に記載の防塵コンピュータデスク。
【請求項３】
前記保存機構は前記中部チャンバの中にスライドできるように設置されるスライド箱を含み、前記スライド箱の中にはコンピュータチャンバとキーボードチャンバとが設置され、前記コンピュータチャンバと前記キーボードチャンバの右側とがいずれも開口のように設置され、前記キーボードチャンバの中には引き出しがスライドできるように設置され、前記引き出しの中にはマウスが置かれ、前記コンピュータチャンバの中にはノートパソコンが置かれ、前記スライド箱の頂端には蓋板がヒンジにより連結され、前記中部チャンバの左右両端壁には第三スライド溝が設置され、前記第三スライド溝の中には第二スライドブロックがスライドできるように設置され、前記第三スライド溝の底部にはいずれも第三空きチャンバが設置され、前記第三空きチャンバと前記第三スライド溝との間には第二ねじボルトが回転できるように設置され、前記第二ねじボルトと前記第二スライドブロックとがネジ山により係合され、前記第二ねじボルトの底端には第六傘歯車が固定的に設置され、前記第三空きチャンバの間には動力軸が回転できるように設置され、前記動力軸の左側末端と第二モータとが伝動できるように連結され、前記第二モータが左側の前記第三空きチャンバの左側端壁の中に固定的に植設され、前記動力軸の外周には前記第六傘歯車と噛合する第七傘歯車が固定的に設置され、第二モータの回転を制御することにより、動力軸を回転させ、それにより第七傘歯車を回転させ、第七傘歯車が第六傘歯車を回転連動させ、第二ねじボルトを回転させ、第二ねじボルトが第二スライドブロックを上下に移動連動させ、それによりスライド箱が中部チャンバの中から滑り出し又は中部チャンバの中に収納されることができることを特徴とする請求項１に記載の防塵コンピュータデスク。
【請求項４】
前記支持機構は前記デスクトップの底端に固定的に設置される固定ブロックを含み、前記固定ブロックが前後に対称的に二組設置され、前記固定ブロックの中には第四空きチャンバが設置され、前記第四空きチャンバの頂壁の中には第三モータが固定的に植設され、前記第三モータが前側の前記固定ブロックの中にしか設置されていなく、前記第三モータの底端には第三ねじボルトが伝動できるように連結され、前記第三ねじボルトの外周には第八傘歯車が固定的に設置され、前記第四空きチャンバの中には前記第八傘歯車と噛合する第九傘歯車が回転できるように設置され、前後二つの前記第九傘歯車の間には底軸により固定され、前記第三ねじボルトの底端にはネジ山ブロックがネジ山により係合し連結され、前記デスクトップの底端には左右に対称的な支持ロッドがヒンジにより連結され、前記支持ロッドの底端にはキャスターが回転できるように設置され、前記ネジ山ブロックと前記支持ロッドとの間には連結ロッドがヒンジにより連結され、第三モータの正反回転を制御することにより、第三ねじボルトを回転させ、それにより第八傘歯車が第九傘歯車を回転連動させ、第九傘歯車が後側の底軸を回転連動させ、それによりネジ山ブロックを上に又は下にスライドさせ、それにより支持ロッドを近づかせ又は離れさせ、それによりデスクトップの高さを調整することを特徴とする請求項１に記載の防塵コンピュータデスク。
【発明の詳細な説明】
【技術分野】
【０００１】
本発明はコンピュータデスク分野を取り上げて、具体的には防塵コンピュータデスクである。
【背景技術】
【０００２】
現在、市販のコンピュータデスクの大部分は構造が簡単で、機能が単一であり、防塵機能を持たなく、コンピュータを使用した後に埃が付着しやすく、従って、防塵コンピュータデスクを設計する必要がある。
【先行技術文献】
【特許文献】
【０００３】
【特許文献１】中国特許出願公開第１０２０５８２４２号明細書
【発明の概要】
【発明が解決しようとする課題】
【０００４】
本発明の目的は防塵コンピュータデスクを提供し、それは上記の現在の技術中の問題を解決できる。
【課題を解決するための手段】
【０００５】
本発明の防塵コンピュータデスクは、デスクトップを含み、前記デスクトップの中には第一スライド溝が設置され、前記第一スライド溝の中には本棚がスライドできるように設置され、前記本棚が本を収納でき、前記第一スライド溝の左側端壁には第二スライド溝が設置され、前記第二スライド溝の中には第一スライドブロックがスライドできるように設置され、前記第一スライドブロックと前記本棚の一端とが固定的に係合し連結され、前記第二スライド溝の底部には第一空きチャンバが設置され、前記第一空きチャンバと前記第二スライド溝との間には第一ねじボルトが回転できるように設置され、前記第一ねじボルトと前記第一スライドブロックとがネジ山により係合され、前記第一ねじボルトの底端には前記第一空きチャンバの中に位置している第一傘歯車が固定的に設置され、前記第一空きチャンバの右側の前記デスクトップの中には第二空きチャンバが設置され、前記第二空きチャンバと前記第一空きチャンバとの間には伝動軸が回転できるように設置され、前記伝動軸の右端には第二傘歯車が固定的に設置され、前記伝動軸の左端には前記第一傘歯車と噛合し設置される第三傘歯車が固定的に設置され、前記第二空きチャンバの頂部には凹溝が設置され、前記凹溝が左右に対称的に二組設置され、前記凹溝の中には防塵カバー機構が設置され、二組の前記凹溝の間には中部チャンバが設置され、前記中部チャンバの中には保存機構が設置され、前記デスクトップの底端には前記デスクトップを支持する支持機構が設置される。
【０００６】
さらなる技術プラン、前記防塵カバー機構は前記第二空きチャンバの底壁の中に固定的に設置される第一モータを含み、前記第一モータの頂端には上に伸びている縦軸が伝動できるように連結され、前記第二空きチャンバの中に位置している前記縦軸の外周には第四傘歯車が固定的に設置され、前記第四傘歯車と前記第二傘歯車とが噛合し設置され、前記縦軸の頂部延伸部分が前記凹溝の中に挿入され、前記縦軸の頂端には第五傘歯車が固定的に設置され、前記凹溝の中には第一ローラが回転できるように設置され、左側の前記第一ローラと前記第五傘歯車とが噛合し設置され、右側の前記第五傘歯車と右側の前記凹溝との間にはトーションばねが取り付けられ、前記第一ローラの頂部には第二ローラが回転できるように設置され、左側の前記第一ローラの外周にはベルトが固定的に設置され、前記ベルトが前記第二ローラを通した後に、右側の前記第一ローラと固定され、前記ベルトには防塵布が固定的に設置され、第一モータの作動を制御することにより、縦軸を回転させ、それにより伝動軸を回転させ、それにより第三傘歯車を第一傘歯車により第一ねじボルトを回転連動させ、それにより第一スライドブロックを上に移動連動させ、第一スライドブロックが本棚を上に移動連動させ、本棚を第一スライド溝の外部までスライドさせ、それにより本棚の中の本を取り出せ、同時に縦軸が第五傘歯車を回転連動させ、それにより第一ローラを回転させ、それによりベルトを巻かせ、それにより防塵布を収納し、防塵布が中部チャンバの頂端を覆わないようにさせる。
【０００７】
さらなる技術プラン、前記保存機構は前記中部チャンバの中にスライドできるように設置されるスライド箱を含み、前記スライド箱の中にはコンピュータチャンバとキーボードチャンバとが設置され、前記コンピュータチャンバと前記キーボードチャンバの右側とがいずれも開口のように設置され、前記キーボードチャンバの中には引き出しがスライドできるように設置され、前記引き出しの中にはマウスが置かれ、前記コンピュータチャンバの中にはノートパソコンが置かれ、前記スライド箱の頂端には蓋板がヒンジにより連結され、前記中部チャンバの左右両端壁には第三スライド溝が設置され、前記第三スライド溝の中には第二スライドブロックがスライドできるように設置され、前記第三スライド溝の底部にはいずれも第三空きチャンバが設置され、前記第三空きチャンバと前記第三スライド溝との間には第二ねじボルトが回転できるように設置され、前記第二ねじボルトと前記第二スライドブロックとがネジ山により係合され、前記第二ねじボルトの底端には第六傘歯車が固定的に設置され、前記第三空きチャンバの間には動力軸が回転できるように設置され、前記動力軸の左側末端と第二モータとが伝動できるように連結され、前記第二モータが左側の前記第三空きチャンバの左側端壁の中に固定的に植設され、前記動力軸の外周には前記第六傘歯車と噛合する第七傘歯車が固定的に設置され、第二モータの回転を制御することにより、動力軸を回転させ、それにより第七傘歯車を回転させ、第七傘歯車が第六傘歯車を回転連動させ、第二ねじボルトを回転させ、第二ねじボルトが第二スライドブロックを上下に移動連動させ、それによりスライド箱が中部チャンバの中から滑り出し又は中部チャンバの中に収納されることができる。
【０００８】
さらなる技術プラン、前記支持機構は前記デスクトップの底端に固定的に設置される固定ブロックを含み、前記固定ブロックが前後に対称的に二組設置され、前記固定ブロックの中には第四空きチャンバが設置され、前記第四空きチャンバの頂壁の中には第三モータが固定的に植設され、前記第三モータが前側の前記固定ブロックの中にしか設置されていなく、前記第三モータの底端には第三ねじボルトが伝動できるように連結され、前記第三ねじボルトの外周には第八傘歯車が固定的に設置され、前記第四空きチャンバの中には前記第八傘歯車と噛合する第九傘歯車が回転できるように設置され、前後二つの前記第九傘歯車の間には底軸により固定され、前記第三ねじボルトの底端にはネジ山ブロックがネジ山により係合し連結され、前記デスクトップの底端には左右に対称的な支持ロッドがヒンジにより連結され、前記支持ロッドの底端にはキャスターが回転できるように設置され、前記ネジ山ブロックと前記支持ロッドとの間には連結ロッドがヒンジにより連結され、第三モータの正反回転を制御することにより、第三ねじボルトを回転させ、それにより第八傘歯車が第九傘歯車を回転連動させ、第九傘歯車が後側の底軸を回転連動させ、それによりネジ山ブロックを上に又は下にスライドさせ、それにより支持ロッドを近づかせ又は離れさせ、それによりデスクトップの高さを調整する。
【０００９】
使用するとき、まず第三モータの正反回転を制御することにより、第三ねじボルトを回転させ、それにより第八傘歯車が第九傘歯車を回転連動させ、第九傘歯車が後側の底軸を回転連動させ、それによりネジ山ブロックを上に又は下にスライドさせ、それにより支持ロッドを近づかせ又は離れさせ、それによりデスクトップの高さを調整し、高さを調整した後、第一モータの作動を制御することにより、縦軸を回転させ、それにより伝動軸を回転させ、それにより第三傘歯車を第一傘歯車により第一ねじボルトを回転連動させ、それにより第一スライドブロックを上に移動連動させ、第一スライドブロックが本棚を上に移動連動させ、本棚を第一スライド溝の外部までスライドさせ、それにより本棚の中の本を取り出せ、同時に縦軸が第五傘歯車を回転連動させ、それにより第一ローラを回転させ、それによりベルトを巻かせ、それにより防塵布を収納し、防塵布が中部チャンバの頂端を覆わないようにさせ、このとき第二モータを始動し、動力軸を回転させ、それにより第七傘歯車を回転させ、第七傘歯車が第六傘歯車を回転連動させ、第二ねじボルトを回転させ、第二ねじボルトが第二スライドブロックを上下に移動連動させ、それによりスライド箱が中部チャンバの中から滑り出すことができ、このとき手動で蓋板を開け、ノートパソコンをコンピュータチャンバの中に置き、手動で引き出しを引き出し、マウスを使用し、使用し終わったら逆に操作し、装置を復帰させる。
【発明の効果】
【００１０】
本発明の有益的な効果は：伝統的なコンピュータデスクに比べて、本発明のコンピュータデスクは保存機構と本棚とをデスクトップの中に収納でき、同時に第三モータを制御することにより、支持ロッドを互いに近接又は遠離させ、それによりデスクトップの高さを調整し、また本装置の防塵布は蓋板に覆うことができ、防塵作用がある。
【図面の簡単な説明】
【００１１】
説明しやすいため、本発明は以下の具体的な実施例と付図を交え詳しく説明する。
【００１２】
【図１】図１は本発明の防塵コンピュータデスクの内部全体構造概略図
【図２】図２は本発明の防塵布の概略図
【図３】図３は本発明の図１のＡの局部拡大概略図
【図４】図４は本発明の底軸の概略図
【発明を実施するための形態】
【００１３】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−４を参照し、本発明の防塵コンピュータデスクは、デスクトップ１０を含み、前記デスクトップ１０の中には第一スライド溝１５が設置され、前記第一スライド溝１５の中には本棚１４がスライドできるように設置され、前記本棚１４が本を収納でき、前記第一スライド溝１５の左側端壁には第二スライド溝１１が設置され、前記第二スライド溝１１の中には第一スライドブロック１２がスライドできるように設置され、前記第一スライドブロック１２と前記本棚１４の一端とが固定的に係合し連結され、前記第二スライド溝１１の底部には第一空きチャンバ７０が設置され、前記第一空きチャンバ７０と前記第二スライド溝１１との間には第一ねじボルト１３が回転できるように設置され、前記第一ねじボルト１３と前記第一スライドブロック１２とがネジ山により係合され、前記第一ねじボルト１３の底端には前記第一空きチャンバ７０の中に位置している第一傘歯車７１が固定的に設置され、前記第一空きチャンバ７０の右側の前記デスクトップ１０の中には第二空きチャンバ５３が設置され、前記第二空きチャンバ５３と前記第一空きチャンバ７０との間には伝動軸４９が回転できるように設置され、前記伝動軸４９の右端には第二傘歯車５０が固定的に設置され、前記伝動軸４９の左端には前記第一傘歯車７１と噛合し設置される第三傘歯車７２が固定的に設置され、前記第二空きチャンバ５３の頂部には凹溝１７が設置され、前記凹溝１７が左右に対称的に二組設置され、前記凹溝１７の中には防塵カバー機構７４が設置され、二組の前記凹溝１７の間には中部チャンバ４１が設置され、前記中部チャンバ４１の中には保存機構７５が設置され、前記デスクトップ１０の底端には前記デスクトップ１０を支持する支持機構７３が設置される。
【００１５】
前記防塵カバー機構７４は前記第二空きチャンバ５３の底壁の中に固定的に設置される第一モータ５２を含み、前記第一モータ５２の頂端には上に伸びている縦軸４８が伝動できるように連結され、前記第二空きチャンバ５３の中に位置している前記縦軸４８の外周には第四傘歯車５１が固定的に設置され、前記第四傘歯車５１と前記第二傘歯車５０とが噛合し設置され、前記縦軸４８の頂部延伸部分が前記凹溝１７の中に挿入され、前記縦軸４８の頂端には第五傘歯車４７が固定的に設置され、前記凹溝１７の中には第一ローラ４６が回転できるように設置され、左側の前記第一ローラ４６と前記第五傘歯車４７とが噛合し設置され、右側の前記第五傘歯車４７と右側の前記凹溝１７との間にはトーションばね２４が取り付けられ、前記第一ローラ４６の頂部には第二ローラ１６が回転できるように設置され、左側の前記第一ローラ４６の外周にはベルト１８が固定的に設置され、前記ベルト１８が前記第二ローラ１６を通した後に、右側の前記第一ローラ４６と固定され、前記ベルト１８には防塵布６１が固定的に設置され、第一モータ５２の作動を制御することにより、縦軸４８を回転させ、それにより伝動軸４９を回転させ、それにより第三傘歯車７２を第一傘歯車７１により第一ねじボルト１３を回転連動させ、それにより第一スライドブロック１２を上に移動連動させ、第一スライドブロック１２が本棚を１４上に移動連動させ、本棚１４を第一スライド溝１５の外部までスライドさせ、それにより本棚１４の中の本を取り出せ、同時に縦軸４８が第五傘歯車４７を回転連動させ、それにより第一ローラ４６を回転させ、それによりベルト１８を巻かせ、それにより防塵布６１を収納し、防塵布６１が中部チャンバ４１の頂端を覆わないようにさせる。
【００１６】
前記保存機構７５は前記中部チャンバ４１の中にスライドできるように設置されるスライド箱４２を含み、前記スライド箱４２の中にはコンピュータチャンバ１９とキーボードチャンバ６０とが設置され、前記コンピュータチャンバ１９と前記キーボードチャンバ６０の右側とがいずれも開口のように設置され、前記キーボードチャンバ６０の中には引き出し４４がスライドできるように設置され、前記引き出し４４の中にはマウス４５が置かれ、前記コンピュータチャンバ１９の中にはノートパソコンが置かれ、前記スライド箱４２の頂端には蓋板２１がヒンジにより連結され、前記中部チャンバ４１の左右両端壁には第三スライド溝２３が設置され、前記第三スライド溝２３の中には第二スライドブロック５８がスライドできるように設置され、前記第三スライド溝２３の底部にはいずれも第三空きチャンバ５７が設置され、前記第三空きチャンバ５７と前記第三スライド溝２３との間には第二ねじボルト２２が回転できるように設置され、前記第二ねじボルト２２と前記第二スライドブロック５８とがネジ山により係合され、前記第二ねじボルト２２の底端には第六傘歯車５６が固定的に設置され、前記第三空きチャンバ５７の間には動力軸５９が回転できるように設置され、前記動力軸５９の左側末端と第二モータ５４とが伝動できるように連結され、前記第二モータ５４が左側の前記第三空きチャンバ５７の左側端壁の中に固定的に植設され、前記動力軸５９の外周には前記第六傘歯車５６と噛合する第七傘歯車５５が固定的に設置され、第二モータ５４の回転を制御することにより、動力軸５９を回転させ、それにより第七傘歯車５５を回転させ、第七傘歯車５５が第六傘歯車５６を回転連動させ、第二ねじボルト２２を回転させ、第二ねじボルト２２が第二スライドブロック５８を上下に移動連動させ、それによりスライド箱４２が中部チャンバ４１の中から滑り出し又は中部チャンバ４１の中に収納されることができる。
【００１７】
前記支持機構７３は前記デスクトップ１０の底端に固定的に設置される固定ブロック３６を含み、前記固定ブロック３６が前後に対称的に二組設置され、前記固定ブロック３６の中には第四空きチャンバ３７が設置され、前記第四空きチャンバ３７の頂壁の中には第三モータ４０が固定的に植設され、前記第三モータ４０が前側の前記固定ブロック３６の中にしか設置されていなく、前記第三モータ４０の底端には第三ねじボルト３５が伝動できるように連結され、前記第三ねじボルト３５の外周には第八傘歯車３８が固定的に設置され、前記第四空きチャンバ３７の中には前記第八傘歯車３８と噛合する第九傘歯車３９が回転できるように設置され、前後二つの前記第九傘歯車３９の間には底軸６５により固定され、前記第三ねじボルト３５の底端にはネジ山ブロック３４がネジ山により係合し連結され、前記デスクトップ１０の底端には左右に対称的な支持ロッド２５がヒンジにより連結され、前記支持ロッド２５の底端にはキャスター２６が回転できるように設置され、前記ネジ山ブロック３４と前記支持ロッド２５との間には連結ロッド２８がヒンジにより連結され、第三モータ４０の正反回転を制御することにより、第三ねじボルト３５を回転させ、それにより第八傘歯車３８が第九傘歯車３９を回転連動させ、第九傘歯車３９が後側の底軸６５を回転連動させ、それによりネジ山ブロック３４を上に又は下にスライドさせ、それにより支持ロッド２５を近づかせ又は離れさせ、それによりデスクトップ１０の高さを調整する。
【００１８】
使用するとき、まず第三モータ４０の正反回転を制御することにより、第三ねじボルト３５を回転させ、それにより第八傘歯車３８が第九傘歯車３９を回転連動させ、第九傘歯車３９が後側の底軸６５を回転連動させ、それによりネジ山ブロック３４を上に又は下にスライドさせ、それにより支持ロッド２５を近づかせ又は離れさせ、それによりデスクトップ１０の高さを調整し、高さを調整した後、第一モータ５２の作動を制御することにより、縦軸４８を回転させ、それにより伝動軸４９を回転させ、それにより第三傘歯車７２を第一傘歯車７１により第一ねじボルト１３を回転連動させ、それにより第一スライドブロック１２を上に移動連動させ、第一スライドブロック１２が本棚を１４上に移動連動させ、本棚１４を第一スライド溝１５の外部までスライドさせ、それにより本棚１４の中の本を取り出せ、同時に縦軸４８が第五傘歯車４７を回転連動させ、それにより第一ローラ４６を回転させ、それによりベルト１８を巻かせ、それにより防塵布６１を収納し、防塵布６１が中部チャンバ４１の頂端を覆わないようにさせ、このとき第二モータ５４を始動し、動力軸５９を回転させ、それにより第七傘歯車５５を回転させ、第七傘歯車５５が第六傘歯車５６を回転連動させ、第二ねじボルト２２を回転させ、第二ねじボルト２２が第二スライドブロック５８を上下に移動連動させ、それによりスライド箱４２が中部チャンバ４１の中から滑り出すことができ、このとき手動で蓋板２１を開け、ノートパソコンをコンピュータチャンバ１９の中に置き、手動で引き出し４４を引き出し、マウス４５を使用し、使用し終わったら逆に操作し、装置を復帰させる。
【００１９】
本発明の有益的な効果は：伝統的なコンピュータデスクに比べて、本発明のコンピュータデスクは保存機構と本棚とをデスクトップの中に収納でき、同時に第三モータを制御することにより、支持ロッドを互いに近接又は遠離させ、それによりデスクトップの高さを調整し、また本装置の防塵布は蓋板に覆うことができ、防塵作用がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175054.tif 000003
【図２】
2020175054.tif 000004
【図３】
2020175054.tif 000005
【図４】
2020175054.tif 000006
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
デスクトップを含み、前記デスクトップの中には第一スライド溝が設置され、前記第一スライド溝の中には本棚がスライドできるように設置され、前記本棚が本を収納でき、前記第一スライド溝の左側端壁には第二スライド溝が設置され、前記第二スライド溝の中には第一スライドブロックがスライドできるように設置され、前記第一スライドブロックと前記本棚の一端とが固定的に係合し連結され、前記第二スライド溝の底部には第一空きチャンバが設置され、前記第一空きチャンバと前記第二スライド溝との間には第一ねじボルトが回転できるように設置され、前記第一ねじボルトと前記第一スライドブロックとがネジ山により係合され、前記第一ねじボルトの底端には前記第一空きチャンバの中に位置している第一傘歯車が固定的に設置され、前記第一空きチャンバの右側の前記デスクトップの中には第二空きチャンバが設置され、前記第二空きチャンバと前記第一空きチャンバとの間には伝動軸が回転できるように設置され、前記伝動軸の右端には第二傘歯車が固定的に設置され、前記伝動軸の左端には前記第一傘歯車と噛合し設置される第三傘歯車が固定的に設置され、前記第二空きチャンバの頂部には凹溝が設置され、前記凹溝が左右に対称的に二組設置され、前記凹溝の中には防塵カバー機構が設置され、二組の前記凹溝の間には中部チャンバが設置され、前記中部チャンバの中には保存機構が設置され、前記デスクトップの底端には前記デスクトップを支持する支持機構が設置され、
前記防塵カバー機構は前記第二空きチャンバの底壁の中に固定的に設置される第一モータを含み、前記第一モータの頂端には上に伸びている縦軸が伝動できるように連結され、前記第二空きチャンバの中に位置している前記縦軸の外周には第四傘歯車が固定的に設置され、前記第四傘歯車と前記第二傘歯車とが噛合し設置され、前記縦軸の頂部延伸部分が前記凹溝の中に挿入され、前記縦軸の頂端には第五傘歯車が固定的に設置され、前記凹溝の中には第一ローラが回転できるように設置され、左側の前記第一ローラと前記第五傘歯車とが噛合し設置され、右側の前記第五傘歯車と右側の前記凹溝との間にはトーションばねが取り付けられ、前記第一ローラの頂部には第二ローラが回転できるように設置され、左側の前記第一ローラの外周にはベルトが固定的に設置され、前記ベルトが前記第二ローラを通した後に、右側の前記第一ローラと固定され、前記ベルトには防塵布が固定的に設置され、第一モータの作動を制御することにより、縦軸を回転させ、それにより伝動軸を回転させ、それにより第三傘歯車を第一傘歯車により第一ねじボルトを回転連動させ、それにより第一スライドブロックを上に移動連動させ、第一スライドブロックが本棚を上に移動連動させ、本棚を第一スライド溝の外部までスライドさせ、それにより本棚の中の本を取り出せ、同時に縦軸が第五傘歯車を回転連動させ、それにより第一ローラを回転させ、それによりベルトを巻かせ、それにより防塵布を収納し、防塵布が中部チャンバの頂端を覆わないようにさせることを特徴とする防塵コンピュータデスク。
【請求項２】
前記保存機構は前記中部チャンバの中にスライドできるように設置されるスライド箱を含み、前記スライド箱の中にはコンピュータチャンバとキーボードチャンバとが設置され、前記コンピュータチャンバと前記キーボードチャンバの右側とがいずれも開口のように設置され、前記キーボードチャンバの中には引き出しがスライドできるように設置され、前記引き出しの中にはマウスが置かれ、前記コンピュータチャンバの中にはノートパソコンが置かれ、前記スライド箱の頂端には蓋板がヒンジにより連結され、前記中部チャンバの左右両端壁には第三スライド溝が設置され、前記第三スライド溝の中には前記スライド箱と固定的に連結される第二スライドブロックがスライドできるように設置され、前記第三スライド溝の底部にはいずれも第三空きチャンバが設置され、前記第三空きチャンバと前記第三スライド溝との間には第二ねじボルトが回転できるように設置され、前記第二ねじボルトと前記第二スライドブロックとがネジ山により係合され、前記第二ねじボルトの底端には第六傘歯車が固定的に設置され、前記第三空きチャンバの間には動力軸が回転できるように設置され、前記動力軸の左側末端と第二モータとが伝動できるように連結され、前記第二モータが左側の前記第三空きチャンバの左側端壁の中に固定的に植設され、前記動力軸の外周には前記第六傘歯車と噛合する第七傘歯車が固定的に設置され、第二モータの回転を制御することにより、動力軸を回転させ、それにより第七傘歯車を回転させ、第七傘歯車が第六傘歯車を回転連動させ、第二ねじボルトを回転させ、第二ねじボルトが第二スライドブロックを上下に移動連動させ、それによりスライド箱が中部チャンバの中から滑り出し又は中部チャンバの中に収納されることができることを特徴とする請求項１に記載の防塵コンピュータデスク。
【請求項３】
前記支持機構は前記デスクトップの底端に固定的に設置される固定ブロックを含み、前記固定ブロックが前後に対称的に二組設置され、前記固定ブロックの中には第四空きチャンバが設置され、前記第四空きチャンバの頂壁の中には第三モータが固定的に植設され、前記第三モータが前側の前記固定ブロックの中にしか設置されていなく、前記第三モータの底端には第三ねじボルトが伝動できるように連結され、前記第三ねじボルトの外周には第八傘歯車が固定的に設置され、前記第四空きチャンバの中には前記第八傘歯車と噛合する第九傘歯車が回転できるように設置され、前後二つの前記第九傘歯車の間には底軸により固定され、前記第三ねじボルトの底端にはネジ山ブロックがネジ山により係合し連結され、前記デスクトップの底端には左右に対称的な支持ロッドがヒンジにより連結され、前記支持ロッドの底端にはキャスターが回転できるように設置され、前記ネジ山ブロックと前記支持ロッドとの間には連結ロッドがヒンジにより連結され、第三モータの正反回転を制御することにより、第三ねじボルトを回転させ、それにより第八傘歯車が第九傘歯車を回転連動させ、第九傘歯車が後側の底軸を回転連動させ、それによりネジ山ブロックを上に又は下にスライドさせ、それにより支持ロッドを近づかせ又は離れさせ、それによりデスクトップの高さを調整することを特徴とする請求項１に記載の防塵コンピュータデスク。
【手続補正２】
【補正対象書類名】明細書
【補正対象項目名】全文
【補正方法】変更
【補正の内容】
【発明の詳細な説明】
【技術分野】
【０００１】
本発明はコンピュータデスク分野を取り上げて、具体的には防塵コンピュータデスクである。
【背景技術】
【０００２】
現在、市販のコンピュータデスクの大部分は構造が簡単で、機能が単一であり、防塵機能を持たなく、コンピュータを使用した後に埃が付着しやすく、従って、防塵コンピュータデスクを設計する必要がある。
【先行技術文献】
【特許文献】
【０００３】
【特許文献１】中国特許出願公開第１０２０５８２４２号明細書
【発明の概要】
【発明が解決しようとする課題】
【０００４】
本発明の目的は防塵コンピュータデスクを提供し、それは上記の現在の技術中の問題を解決できる。
【課題を解決するための手段】
【０００５】
本発明の防塵コンピュータデスクは、デスクトップを含み、前記デスクトップの中には第一スライド溝が設置され、前記第一スライド溝の中には本棚がスライドできるように設置され、前記本棚が本を収納でき、前記第一スライド溝の左側端壁には第二スライド溝が設置され、前記第二スライド溝の中には第一スライドブロックがスライドできるように設置され、前記第一スライドブロックと前記本棚の一端とが固定的に係合し連結され、前記第二スライド溝の底部には第一空きチャンバが設置され、前記第一空きチャンバと前記第二スライド溝との間には第一ねじボルトが回転できるように設置され、前記第一ねじボルトと前記第一スライドブロックとがネジ山により係合され、前記第一ねじボルトの底端には前記第一空きチャンバの中に位置している第一傘歯車が固定的に設置され、前記第一空きチャンバの右側の前記デスクトップの中には第二空きチャンバが設置され、前記第二空きチャンバと前記第一空きチャンバとの間には伝動軸が回転できるように設置され、前記伝動軸の右端には第二傘歯車が固定的に設置され、前記伝動軸の左端には前記第一傘歯車と噛合し設置される第三傘歯車が固定的に設置され、前記第二空きチャンバの頂部には凹溝が設置され、前記凹溝が左右に対称的に二組設置され、前記凹溝の中には防塵カバー機構が設置され、二組の前記凹溝の間には中部チャンバが設置され、前記中部チャンバの中には保存機構が設置され、前記デスクトップの底端には前記デスクトップを支持する支持機構が設置される。
【０００６】
さらなる技術プラン、前記防塵カバー機構は前記第二空きチャンバの底壁の中に固定的に設置される第一モータを含み、前記第一モータの頂端には上に伸びている縦軸が伝動できるように連結され、前記第二空きチャンバの中に位置している前記縦軸の外周には第四傘歯車が固定的に設置され、前記第四傘歯車と前記第二傘歯車とが噛合し設置され、前記縦軸の頂部延伸部分が前記凹溝の中に挿入され、前記縦軸の頂端には第五傘歯車が固定的に設置され、前記凹溝の中には第一ローラが回転できるように設置され、左側の前記第一ローラと前記第五傘歯車とが噛合し設置され、右側の前記第五傘歯車と右側の前記凹溝との間にはトーションばねが取り付けられ、前記第一ローラの頂部には第二ローラが回転できるように設置され、左側の前記第一ローラの外周にはベルトが固定的に設置され、前記ベルトが前記第二ローラを通した後に、右側の前記第一ローラと固定され、前記ベルトには防塵布が固定的に設置され、第一モータの作動を制御することにより、縦軸を回転させ、それにより伝動軸を回転させ、それにより第三傘歯車を第一傘歯車により第一ねじボルトを回転連動させ、それにより第一スライドブロックを上に移動連動させ、第一スライドブロックが本棚を上に移動連動させ、本棚を第一スライド溝の外部までスライドさせ、それにより本棚の中の本を取り出せ、同時に縦軸が第五傘歯車を回転連動させ、それにより第一ローラを回転させ、それによりベルトを巻かせ、それにより防塵布を収納し、防塵布が中部チャンバの頂端を覆わないようにさせる。
【０００７】
さらなる技術プラン、前記保存機構は前記中部チャンバの中にスライドできるように設置されるスライド箱を含み、前記スライド箱の中にはコンピュータチャンバとキーボードチャンバとが設置され、前記コンピュータチャンバと前記キーボードチャンバの右側とがいずれも開口のように設置され、前記キーボードチャンバの中には引き出しがスライドできるように設置され、前記引き出しの中にはマウスが置かれ、前記コンピュータチャンバの中にはノートパソコンが置かれ、前記スライド箱の頂端には蓋板がヒンジにより連結され、前記中部チャンバの左右両端壁には第三スライド溝が設置され、前記第三スライド溝の中には前記スライド箱と固定的に連結される第二スライドブロックがスライドできるように設置され、前記第三スライド溝の底部にはいずれも第三空きチャンバが設置され、前記第三空きチャンバと前記第三スライド溝との間には第二ねじボルトが回転できるように設置され、前記第二ねじボルトと前記第二スライドブロックとがネジ山により係合され、前記第二ねじボルトの底端には第六傘歯車が固定的に設置され、前記第三空きチャンバの間には動力軸が回転できるように設置され、前記動力軸の左側末端と第二モータとが伝動できるように連結され、前記第二モータが左側の前記第三空きチャンバの左側端壁の中に固定的に植設され、前記動力軸の外周には前記第六傘歯車と噛合する第七傘歯車が固定的に設置され、第二モータの回転を制御することにより、動力軸を回転させ、それにより第七傘歯車を回転させ、第七傘歯車が第六傘歯車を回転連動させ、第二ねじボルトを回転させ、第二ねじボルトが第二スライドブロックを上下に移動連動させ、それによりスライド箱が中部チャンバの中から滑り出し又は中部チャンバの中に収納されることができる。
【０００８】
さらなる技術プラン、前記支持機構は前記デスクトップの底端に固定的に設置される固定ブロックを含み、前記固定ブロックが前後に対称的に二組設置され、前記固定ブロックの中には第四空きチャンバが設置され、前記第四空きチャンバの頂壁の中には第三モータが固定的に植設され、前記第三モータが前側の前記固定ブロックの中にしか設置されていなく、前記第三モータの底端には第三ねじボルトが伝動できるように連結され、前記第三ねじボルトの外周には第八傘歯車が固定的に設置され、前記第四空きチャンバの中には前記第八傘歯車と噛合する第九傘歯車が回転できるように設置され、前後二つの前記第九傘歯車の間には底軸により固定され、前記第三ねじボルトの底端にはネジ山ブロックがネジ山により係合し連結され、前記デスクトップの底端には左右に対称的な支持ロッドがヒンジにより連結され、前記支持ロッドの底端にはキャスターが回転できるように設置され、前記ネジ山ブロックと前記支持ロッドとの間には連結ロッドがヒンジにより連結され、第三モータの正反回転を制御することにより、第三ねじボルトを回転させ、それにより第八傘歯車が第九傘歯車を回転連動させ、第九傘歯車が後側の底軸を回転連動させ、それによりネジ山ブロックを上に又は下にスライドさせ、それにより支持ロッドを近づかせ又は離れさせ、それによりデスクトップの高さを調整する。
【０００９】
使用するとき、まず第三モータの正反回転を制御することにより、第三ねじボルトを回転させ、それにより第八傘歯車が第九傘歯車を回転連動させ、第九傘歯車が後側の底軸を回転連動させ、それによりネジ山ブロックを上に又は下にスライドさせ、それにより支持ロッドを近づかせ又は離れさせ、それによりデスクトップの高さを調整し、高さを調整した後、第一モータの作動を制御することにより、縦軸を回転させ、それにより伝動軸を回転させ、それにより第三傘歯車を第一傘歯車により第一ねじボルトを回転連動させ、それにより第一スライドブロックを上に移動連動させ、第一スライドブロックが本棚を上に移動連動させ、本棚を第一スライド溝の外部までスライドさせ、それにより本棚の中の本を取り出せ、同時に縦軸が第五傘歯車を回転連動させ、それにより第一ローラを回転させ、それによりベルトを巻かせ、それにより防塵布を収納し、防塵布が中部チャンバの頂端を覆わないようにさせ、このとき第二モータを始動し、動力軸を回転させ、それにより第七傘歯車を回転させ、第七傘歯車が第六傘歯車を回転連動させ、第二ねじボルトを回転させ、第二ねじボルトが第二スライドブロックを上下に移動連動させ、それによりスライド箱が中部チャンバの中から滑り出すことができ、このとき手動で蓋板を開け、ノートパソコンをコンピュータチャンバの中に置き、手動で引き出しを引き出し、マウスを使用し、使用し終わったら逆に操作し、装置を復帰させる。
【発明の効果】
【００１０】
本発明の有益的な効果は：伝統的なコンピュータデスクに比べて、本発明のコンピュータデスクは保存機構と本棚とをデスクトップの中に収納でき、同時に第三モータを制御することにより、支持ロッドを互いに近接又は遠離させ、それによりデスクトップの高さを調整し、また本装置の防塵布は蓋板に覆うことができ、防塵作用がある。
【図面の簡単な説明】
【００１１】
説明しやすいため、本発明は以下の具体的な実施例と付図を交え詳しく説明する。
【００１２】
【図１】図１は本発明の防塵コンピュータデスクの内部全体構造概略図
【図２】図２は本発明の防塵布の概略図
【図３】図３は本発明の図１のＡの局部拡大概略図
【図４】図４は本発明の底軸の概略図
【発明を実施するための形態】
【００１３】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−４を参照し、本発明の防塵コンピュータデスクは、デスクトップ１０を含み、前記デスクトップ１０の中には第一スライド溝１５が設置され、前記第一スライド溝１５の中には本棚１４がスライドできるように設置され、前記本棚１４が本を収納でき、前記第一スライド溝１５の左側端壁には第二スライド溝１１が設置され、前記第二スライド溝１１の中には第一スライドブロック１２がスライドできるように設置され、前記第一スライドブロック１２と前記本棚１４の一端とが固定的に係合し連結され、前記第二スライド溝１１の底部には第一空きチャンバ７０が設置され、前記第一空きチャンバ７０と前記第二スライド溝１１との間には第一ねじボルト１３が回転できるように設置され、前記第一ねじボルト１３と前記第一スライドブロック１２とがネジ山により係合され、前記第一ねじボルト１３の底端には前記第一空きチャンバ７０の中に位置している第一傘歯車７１が固定的に設置され、前記第一空きチャンバ７０の右側の前記デスクトップ１０の中には第二空きチャンバ５３が設置され、前記第二空きチャンバ５３と前記第一空きチャンバ７０との間には伝動軸４９が回転できるように設置され、前記伝動軸４９の右端には第二傘歯車５０が固定的に設置され、前記伝動軸４９の左端には前記第一傘歯車７１と噛合し設置される第三傘歯車７２が固定的に設置され、前記第二空きチャンバ５３の頂部には凹溝１７が設置され、前記凹溝１７が左右に対称的に二組設置され、前記凹溝１７の中には防塵カバー機構７４が設置され、二組の前記凹溝１７の間には中部チャンバ４１が設置され、前記中部チャンバ４１の中には保存機構７５が設置され、前記デスクトップ１０の底端には前記デスクトップ１０を支持する支持機構７３が設置される。
【００１５】
前記防塵カバー機構７４は前記第二空きチャンバ５３の底壁の中に固定的に設置される第一モータ５２を含み、前記第一モータ５２の頂端には上に伸びている縦軸４８が伝動できるように連結され、前記第二空きチャンバ５３の中に位置している前記縦軸４８の外周には第四傘歯車５１が固定的に設置され、前記第四傘歯車５１と前記第二傘歯車５０とが噛合し設置され、前記縦軸４８の頂部延伸部分が前記凹溝１７の中に挿入され、前記縦軸４８の頂端には第五傘歯車４７が固定的に設置され、前記凹溝１７の中には第一ローラ４６が回転できるように設置され、左側の前記第一ローラ４６と前記第五傘歯車４７とが噛合し設置され、右側の前記第五傘歯車４７と右側の前記凹溝１７との間にはトーションばね２４が取り付けられ、前記第一ローラ４６の頂部には第二ローラ１６が回転できるように設置され、左側の前記第一ローラ４６の外周にはベルト１８が固定的に設置され、前記ベルト１８が前記第二ローラ１６を通した後に、右側の前記第一ローラ４６と固定され、前記ベルト１８には防塵布６１が固定的に設置され、第一モータ５２の作動を制御することにより、縦軸４８を回転させ、それにより伝動軸４９を回転させ、それにより第三傘歯車７２を第一傘歯車７１により第一ねじボルト１３を回転連動させ、それにより第一スライドブロック１２を上に移動連動させ、第一スライドブロック１２が本棚を１４上に移動連動させ、本棚１４を第一スライド溝１５の外部までスライドさせ、それにより本棚１４の中の本を取り出せ、同時に縦軸４８が第五傘歯車４７を回転連動させ、それにより第一ローラ４６を回転させ、それによりベルト１８を巻かせ、それにより防塵布６１を収納し、防塵布６１が中部チャンバ４１の頂端を覆わないようにさせる。
【００１６】
前記保存機構７５は前記中部チャンバ４１の中にスライドできるように設置されるスライド箱４２を含み、前記スライド箱４２の中にはコンピュータチャンバ１９とキーボードチャンバ６０とが設置され、前記コンピュータチャンバ１９と前記キーボードチャンバ６０の右側とがいずれも開口のように設置され、前記キーボードチャンバ６０の中には引き出し４４がスライドできるように設置され、前記引き出し４４の中にはマウス４５が置かれ、前記コンピュータチャンバ１９の中にはノートパソコンが置かれ、前記スライド箱４２の頂端には蓋板２１がヒンジにより連結され、前記中部チャンバ４１の左右両端壁には第三スライド溝２３が設置され、前記第三スライド溝２３の中には前記スライド箱４２と固定的に連結される第二スライドブロック５８がスライドできるように設置され、前記第三スライド溝２３の底部にはいずれも第三空きチャンバ５７が設置され、前記第三空きチャンバ５７と前記第三スライド溝２３との間には第二ねじボルト２２が回転できるように設置され、前記第二ねじボルト２２と前記第二スライドブロック５８とがネジ山により係合され、前記第二ねじボルト２２の底端には第六傘歯車５６が固定的に設置され、前記第三空きチャンバ５７の間には動力軸５９が回転できるように設置され、前記動力軸５９の左側末端と第二モータ５４とが伝動できるように連結され、前記第二モータ５４が左側の前記第三空きチャンバ５７の左側端壁の中に固定的に植設され、前記動力軸５９の外周には前記第六傘歯車５６と噛合する第七傘歯車５５が固定的に設置され、第二モータ５４の回転を制御することにより、動力軸５９を回転させ、それにより第七傘歯車５５を回転させ、第七傘歯車５５が第六傘歯車５６を回転連動させ、第二ねじボルト２２を回転させ、第二ねじボルト２２が第二スライドブロック５８を上下に移動連動させ、それによりスライド箱４２が中部チャンバ４１の中から滑り出し又は中部チャンバ４１の中に収納されることができる。
【００１７】
前記支持機構７３は前記デスクトップ１０の底端に固定的に設置される固定ブロック３６を含み、前記固定ブロック３６が前後に対称的に二組設置され、前記固定ブロック３６の中には第四空きチャンバ３７が設置され、前記第四空きチャンバ３７の頂壁の中には第三モータ４０が固定的に植設され、前記第三モータ４０が前側の前記固定ブロック３６の中にしか設置されていなく、前記第三モータ４０の底端には第三ねじボルト３５が伝動できるように連結され、前記第三ねじボルト３５の外周には第八傘歯車３８が固定的に設置され、前記第四空きチャンバ３７の中には前記第八傘歯車３８と噛合する第九傘歯車３９が回転できるように設置され、前後二つの前記第九傘歯車３９の間には底軸６５により固定され、前記第三ねじボルト３５の底端にはネジ山ブロック３４がネジ山により係合し連結され、前記デスクトップ１０の底端には左右に対称的な支持ロッド２５がヒンジにより連結され、前記支持ロッド２５の底端にはキャスター２６が回転できるように設置され、前記ネジ山ブロック３４と前記支持ロッド２５との間には連結ロッド２８がヒンジにより連結され、第三モータ４０の正反回転を制御することにより、第三ねじボルト３５を回転させ、それにより第八傘歯車３８が第九傘歯車３９を回転連動させ、第九傘歯車３９が後側の底軸６５を回転連動させ、それによりネジ山ブロック３４を上に又は下にスライドさせ、それにより支持ロッド２５を近づかせ又は離れさせ、それによりデスクトップ１０の高さを調整する。
【００１８】
使用するとき、まず第三モータ４０の正反回転を制御することにより、第三ねじボルト３５を回転させ、それにより第八傘歯車３８が第九傘歯車３９を回転連動させ、第九傘歯車３９が後側の底軸６５を回転連動させ、それによりネジ山ブロック３４を上に又は下にスライドさせ、それにより支持ロッド２５を近づかせ又は離れさせ、それによりデスクトップ１０の高さを調整し、高さを調整した後、第一モータ５２の作動を制御することにより、縦軸４８を回転させ、それにより伝動軸４９を回転させ、それにより第三傘歯車７２を第一傘歯車７１により第一ねじボルト１３を回転連動させ、それにより第一スライドブロック１２を上に移動連動させ、第一スライドブロック１２が本棚を１４上に移動連動させ、本棚１４を第一スライド溝１５の外部までスライドさせ、それにより本棚１４の中の本を取り出せ、同時に縦軸４８が第五傘歯車４７を回転連動させ、それにより第一ローラ４６を回転させ、それによりベルト１８を巻かせ、それにより防塵布６１を収納し、防塵布６１が中部チャンバ４１の頂端を覆わないようにさせ、このとき第二モータ５４を始動し、動力軸５９を回転させ、それにより第七傘歯車５５を回転させ、第七傘歯車５５が第六傘歯車５６を回転連動させ、第二ねじボルト２２を回転させ、第二ねじボルト２２が第二スライドブロック５８を上下に移動連動させ、それによりスライド箱４２が中部チャンバ４１の中から滑り出すことができ、このとき手動で蓋板２１を開け、ノートパソコンをコンピュータチャンバ１９の中に置き、手動で引き出し４４を引き出し、マウス４５を使用し、使用し終わったら逆に操作し、装置を復帰させる。
【００１９】
本発明の有益的な効果は：伝統的なコンピュータデスクに比べて、本発明のコンピュータデスクは保存機構と本棚とをデスクトップの中に収納でき、同時に第三モータを制御することにより、支持ロッドを互いに近接又は遠離させ、それによりデスクトップの高さを調整し、また本装置の防塵布は蓋板に覆うことができ、防塵作用がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。